(57)【要約】【課題】病児を適切な部屋に自動的に割り振る。【解決手段】入力受付部２０は、新規病児の病気の情報の入力を受け付け、判断部２２は、新規病児の病気が感染症であるか否かを判断する。そして、部屋割り処理部２４は、新規病児の病気が感染症である場合には、過去の同時期に該感染症で入院した人数の実績を記憶する病名割合テーブル３８を参照して、新規病児に割り当てる病室を決定する。【選択図】図２
2019057220.tif 000002
【特許請求の範囲】
【請求項１】
入院対象の患者の病気の情報の入力を受け付け、
前記入院対象の患者の病気が感染症であるか否かを判断し、
前記入院対象の患者の病気が感染症である場合に、過去の同時期に該感染症で入院した人数の実績を記憶する記憶部を参照して、前記入院対象の患者が入院する部屋を決定する、
処理をコンピュータに実行させるための入院部屋決定プログラム。
【請求項２】
前記入院対象の患者の病気が感染症であり、当日における該感染症の患者がいない場合には、過去の同時期に該感染症で入院した人数が多いほど収容人数が多い空き部屋を優先して、前記入院対象の患者が入院する部屋を決定する、ことを特徴とする請求項１に記載の入院部屋決定プログラム。
【請求項３】
前記入院対象の患者の病気が感染症であり、当日における該感染症の患者がいる場合には、該感染症の患者と同じ部屋を優先して、前記入院対象の患者が入院する部屋を決定する、ことを特徴とする請求項１又は２に記載の入院部屋決定プログラム。
【請求項４】
前記入院対象の患者の病気が感染症であり、当日における該感染症の患者がいるものの、該感染症の患者と同じ部屋が空いていない場合には、該感染症の患者と前記入院対象の患者を収容できる空き部屋に該感染症の患者を移し、前記空き部屋を前記入院対象の患者が入院する部屋として決定する、ことを特徴とする請求項１〜３のいずれか一項に記載の入院部屋決定プログラム。
【請求項５】
前記入院対象の患者の病気が感染症であり、過去の同時期に該感染症で入院した人数が少ないほど収容人数が少ない空き部屋を優先して、前記入院対象の患者が入院する部屋を決定する、ことを特徴とする請求項１〜４のいずれか一項に記載の入院部屋決定プログラム。
【請求項６】
前記入院対象の患者の病気が感染症でない場合には、当日における他の感染症でない患者が割り当てられている部屋を優先して、前記入院対象の患者が入院する部屋を決定する、ことを特徴とする請求項１〜５のいずれか一項に記載の入院部屋決定プログラム。
【請求項７】
前記入院対象の患者の病気が感染症であるか否かは、過去に該病気の患者が他の病気の患者と相部屋になっている実績がないか否かに基づいて特定する、ことを特徴とする請求項１〜６のいずれか一項に記載の入院部屋決定プログラム。
【請求項８】
入院対象の患者の病気の情報の入力を受け付け、
前記入院対象の患者の病気が感染症であるか否かを判断し、
前記入院対象の患者の病気が感染症である場合に、過去の同時期に該感染症で入院した人数の実績を記憶する記憶部を参照して、前記入院対象の患者が入院する部屋を決定する、
処理をコンピュータが実行することを特徴とする入院部屋決定方法。
【請求項９】
入院対象の患者の病気の情報の入力を受け付ける受付部と、
前記入院対象の患者の病気が感染症であるか否かを判断する判断部と、
前記入院対象の患者の病気が感染症である場合に、過去の同時期に該感染症で入院した人数の実績を記憶する記憶部を参照して、前記入院対象の患者が入院する部屋を決定する決定部と、
を備える入院部屋決定装置。
【発明の詳細な説明】
【技術分野】
【０００１】
本発明は、入院部屋決定プログラム、入院部屋決定方法及び入院部屋決定装置に関する。
【背景技術】
【０００２】
病院への日帰り入院や、保育園や保育所に通園している子どもが病気になったときに、仕事を休めない親に代わり病気の子どもの世話をしてくれる施設（以下、病児保育施設と呼ぶ）への１日限定の預け入れなど、短期間の入院が行われる場合がある。例えば病児保育施設では、前日又は当日に利用者から利用希望の電話があると、職員は病児の病名を聞き出し、部屋の空き状況を参照して、病児の受け入れが可能かどうかを判断している。
【先行技術文献】
【特許文献】
【０００３】
【特許文献１】特開２０１４−４１４３９号公報
【特許文献２】特開２００２−１８３２９６号公報
【発明の概要】
【発明が解決しようとする課題】
【０００４】
施設の職員は、病児の状況や施設の状況などを考慮して、なるべく多くの病児を受け入れ、各病児を適切な部屋に割り振ることを検討する必要があるため、利用可否の判断に時間を要する場合がある。判断に時間を要すると、他の利用者の電話がつながりにくくなったり、施設の職員が他の業務をできなくなるなどの支障が出る場合がある。
【０００５】
１つの側面では、本発明は、患者を適切な部屋に自動的に割り振ることが可能な入院部屋決定プログラム、入院部屋決定方法及び入院部屋決定装置を提供することを目的とする。
【課題を解決するための手段】
【０００６】
一つの態様では、入院部屋決定プログラムは、入院対象の患者の病気の情報の入力を受け付け、前記入院対象の患者の病気が感染症であるか否かを判断し、前記入院対象の患者の病気が感染症である場合に、過去の同時期に該感染症で入院した人数の実績を記憶する記憶部を参照して、前記入院対象の患者が入院する部屋を決定する、処理をコンピュータに実行させるための入院部屋決定プログラムである。
【発明の効果】
【０００７】
患者を適切な部屋に自動的に割り振ることができる。
【図面の簡単な説明】
【０００８】
【図１】一実施形態に係る入院部屋決定装置のハードウェア構成を示す図である。
【図２】入院部屋決定装置の機能ブロック図である。
【図３】図３（ａ）は、病名テーブルのデータ構造の一例を示す図であり、図３（ｂ）は、病室テーブルのデータ構造の一例を示す図である。
【図４】過去実績テーブルのデータ構造の一例を示す図である。
【図５】当日部屋割りテーブルのデータ構造の一例を示す図である。
【図６】病名割合テーブルのデータ構造の一例を示す図である。
【図７】入院部屋決定装置の処理を示すフローチャートである。
【図８】図７の部屋割り処理（１）を示すフローチャートである。
【図９】図９（ａ）は、図７の部屋割り処理（２）を示すフローチャートであり、図９（ｂ）は、図７の部屋割り処理（３）を示すフローチャートである。
【発明を実施するための形態】
【０００９】
以下、入院部屋決定システムの一実施形態について、図１〜図９に基づいて詳細に説明する。
【００１０】
本実施形態の入院部屋決定装置１０は、病児保育施設において利用されるシステムであり、例えばＰＣ（Personal Computer）などの情報処理装置を含んでいる。入院部屋決定装置１０は、病児保育施設に勤務する職員により操作され、新規病児（入院対象の患者）に対して自動的に部屋を割り当てる装置である。
【００１１】
図１には、入院部屋決定装置１０のハードウェア構成が示されている。図１に示すように、入院部屋決定装置１０は、ＣＰＵ（Central Processing Unit）９０、ＲＯＭ（Read Only Memory）９２、ＲＡＭ（Random Access Memory）９４、記憶部（ここではＨＤＤ（Hard Disk Drive））９６、ネットワークインタフェース９７、表示部９３、入力部９５、及び可搬型記憶媒体用ドライブ９９等を備えている。表示部９３は、液晶ディスプレイ等を含み、入力部９５は、キーボードやマウス、タッチパネル等を含む。これら入院部屋決定装置１０の構成各部は、バス９８に接続されている。入院部屋決定装置１０では、ＲＯＭ９２あるいはＨＤＤ９６に格納されているプログラム（入院部屋決定プログラムを含む）、或いは可搬型記憶媒体用ドライブ９９が可搬型記憶媒体９１から読み取ったプログラム（入院部屋決定プログラムを含む）をＣＰＵ９０が実行することにより、図２に示す各部としての機能が実現される。
【００１２】
図２には、入院部屋決定装置１０の機能ブロック図が示されている。入院部屋決定装置１０では、ＣＰＵ９０がプログラムを実行することにより、受付部としての入力受付部２０、判断部２２、決定部としての部屋割り処理部２４、としての機能が実現されている。なお、図２には、ＨＤＤ９６等に記憶されている病名テーブル３０、病室テーブル３２、過去実績テーブル３４、当日部屋割りテーブル３６、記憶部としての病名割合テーブル３８についても図示されている。
【００１３】
入力受付部２０は、病児保育施設に勤務する職員が入力部９５を介して入力した病名（電話にて申し込みのあった新規病児の病名）を受け付ける。また、入力受付部２０は、病名テーブル３０を参照して、受け付けた病名に対応する病名コードを特定し、特定した病名コードを判断部２２に受け渡す。ここで、病名テーブル３０は、図３（ａ）に示すようなデータ構造を有する。図３（ａ）に示すように、病名テーブル３０には、病名コードと病名とが関連付けて記憶されている。入力受付部２０は、受け付けた病名が「インフルエンザＡ」であれば、病名コードとして「Ｄ１」を特定し、「外傷」であれば、病名コードとして「Ｄ６」を特定される。
【００１４】
判断部２２は、病室の空き状況、感染症の流行時期、病気ごとの相部屋実績等を考慮して、部屋割り処理部２４が実施すべき処理を判断する。判断部２２は、判断の際に、病室テーブル３２、過去実績テーブル３４、当日部屋割りテーブル３６を参照する。
【００１５】
ここで、病室テーブル３２は、図３（ｂ）に示すようなデータ構造を有する。図３（ｂ）に示すように、病室テーブル３２においては、各病室の病室コードと各病室の定員（収容人数）とが関連付けて記憶されている。
【００１６】
過去実績テーブル３４は、図４に示すようなデータ構造を有する。図４に示すように、過去実績テーブル３４は、年月日に対応付けて、各病室（Ａ〜Ｆ）に、どの病名（病名コード）の病児が割り当てられたかを記憶するテーブルである。過去実績テーブル３４からは、例えば、病名コードＤ１、Ｄ２、Ｄ３、Ｄ４、Ｄ７は、相部屋の実績がなく、病名コードＤ５、Ｄ６は、相部屋の実績があることがわかる。なお、過去実績テーブル３４のデータは、例えば１日の終わりにその日の当日部屋割りテーブル３６に基づいて更新されるようになっている。
【００１７】
当日部屋割りテーブル３６は、図５に示すようなデータ構造を有する。図５に示すように、当日部屋割りテーブル３６は、当日において各病室に割り当てられた病児の氏名及び病名コードを管理するテーブルである。当日部屋割りテーブル３６は、新規病児に対して病室が割り当てられるたびに（後述する図７〜図９（ｂ）の処理が行われるたびに）更新されるようになっている。
【００１８】
図２に戻り、部屋割り処理部２４は、判断部２２の判断結果に基づいて、実施すべき部屋割り処理を実行する。なお、部屋割り処理部２４は、病室テーブル３２、当日部屋割りテーブル３６のほか、病名割合テーブル３８も参照して、部屋割り処理を実行する。ここで、病名割合テーブル３８は、図６に示すようなデータ構造を有する。病名割合テーブル３８は、図６に示すように、病児保育施設が受け入れた病児の人数（実績）を病名コードごと、１か月ごとに集計した結果を記憶するテーブルである。図６の病名割合テーブル３８には、１年分（２０１６年の１月から１２月まで）のデータが格納されている。病名割合テーブル３８からは、月ごとに、どの病気が流行しているかを確認することができる。
【００１９】
（入院部屋決定装置１０の処理）
次に、図７〜図９（ｂ）のフローチャートに沿って、入院部屋決定装置１０の処理の詳細について説明する。なお、図７〜図９（ｂ）の処理の前提として、病児保育施設ではなるべく多くの病名の病児を受け入れるという方針があり、１つの病名の病児が複数の病室に割り当てられることはないというルールが定められているものとする。
【００２０】
図７の処理では、まず、ステップＳ１０において、入力受付部２０が、新規病児の病名が入力されるまで待機する。すなわち、職員が入力部９５を介して病名を入力した段階で、入力受付部２０は、ステップＳ１１に移行する。
【００２１】
ステップＳ１１に移行すると、入力受付部２０は、入力された病名を取得し、病名テーブル３０を参照して、病名コードを特定する。例えば、入力された病名が「インフルエンザＡ」であれば、病名コード「Ｄ１」を特定する。なお、入力受付部２０は、特定した病名コードを判断部２２に対して受け渡す。
【００２２】
次いで、ステップＳ１２では、判断部２２が、入力受付部２０から受け取った病名コードの病気が、相部屋実績のある病気であるか否かを判断する。この場合、判断部２２は、過去実績テーブル３４（図４）を参照して、受け取った病名コードが他の病名コードと同一の枠（カラム）内に含まれている実績があるか否かを判断する。このステップＳ１２の判断が否定された場合、すなわち、受け取った病名コードの病気が感染症であり、相部屋実績がなかった場合には、ステップＳ１４に移行する。一方、ステップＳ１２の判断が肯定された場合、すなわち、受け取った病名コードの病気が感染症でなく、相部屋実績があった場合には、ステップＳ２０に移行する。
【００２３】
ステップＳ１２の判断が否定されて、ステップＳ１４に移行すると、判断部２２は、入力された病名コードの病気を患っている病児が当日部屋割りテーブル３６（図５）に存在しているか否かを判断する。このステップＳ１４の判断が肯定された場合には、ステップＳ１６に移行し、否定された場合には、ステップＳ１８に移行する。
【００２４】
ステップＳ１６に移行すると、部屋割り処理部２４は、部屋割り処理（１）を実行する。
【００２５】
（部屋割り処理（１））
以下、部屋割り処理（１）について、図８のフローチャートに沿って詳細に説明する。
【００２６】
図８の処理では、まずステップＳ５０において、部屋割り処理部２４が、入力された病名（病名コード）の病児が割り当てられている病室（αとする）に空きがあるか否かを判断する。このステップＳ５０の判断が肯定された場合には、病室αに新規病児を割り当てることができるため、ステップＳ５２に移行して、部屋割り処理部２４は、新規病児を病室αに割り当て、割り当て結果を表示部９３に表示することで、職員に通知する。その後は、図８の全処理を終了し、図７の全処理も終了する。なお、ステップＳ５２では、部屋割り処理部２４が、感染症の新規病児を、同一の感染症の病児が割り当てられている病室に優先的に割り当てているといえる。これにより、同一の感染症の病児を同一の病室に割り当てることで、効率的な保育が可能となる。
【００２７】
一方、ステップＳ５０の判断が否定された場合、すなわち、病室αに空きがなかった場合には、ステップＳ５４に移行し、部屋割り処理部２４は、病室αよりも定員が多く、未選択の病室があるか否かを判断する。病室αよりも定員が多い病室で、選択済みでない病室がなければ、ステップＳ５４の判断は否定され、ステップＳ６６に移行する。ステップＳ６６に移行すると、部屋割り処理部２４は、受け入れ不可を表示部９３に表示することで、職員に通知する。その後は、図８の全処理を終了し、図７の全処理も終了する。
【００２８】
これに対し、ステップＳ５４の判断が肯定された場合、すなわち、病室αよりも定員が多く、選択済みでない病室がある場合には、ステップＳ５６に移行し、部屋割り処理部２４は、病室αよりも定員が多い病室を定員が少ない方から選択し、病室βとする。
【００２９】
次いで、ステップＳ５８では、部屋割り処理部２４は、病室βに空きがあるか否かを判断する。このステップＳ５８の判断が否定された場合には、ステップＳ５４に戻る。一方、ステップＳ５８の判断が肯定された場合には、ステップＳ６０に移行する。
【００３０】
ステップＳ６０に移行すると、部屋割り処理部２４は、現在、病室βに割り当てられている人数が、病室αの定員以下か否かを判断する。すなわち、ステップＳ６０では、現在病室βに割り当てられている病児の全員を病室αに移すことができるか否かを判断する。このステップＳ６０の判断が否定された場合には、ステップＳ５４に戻るが、ステップＳ６０の判断が肯定された場合には、ステップＳ６２に移行する。
【００３１】
ステップＳ６２に移行すると、部屋割り処理部２４は、病室αと病室βに割り当てられている病児を全て入れ替える。次いで、ステップＳ６４では、部屋割り処理部２４が、新規病児を病室βに割り当て、割り当て結果や病室αとβで病児の入れ替えを行ったことを表示部９３に表示することで、職員に通知する。その後は、図８の全処理を終了し、図７の全処理も終了する。
【００３２】
図７に戻り、ステップＳ１４の判断が否定された場合、すなわち、新規病児の病気が相部屋実績のない病気（感染症）であり、同一の病気の病児がどの部屋にも割り当てられていない場合には、ステップＳ１８に移行し、部屋割り処理部２４は、部屋割り処理（２）を実行する。
【００３３】
（部屋割り処理（２））
以下、図９（ａ）のフローチャートに沿って、部屋割り処理（２）について詳細に説明する。
【００３４】
図９（ａ）の処理では、まずステップＳ７０において、部屋割り処理部２４は、病児が１人も割り当てられていない病室があるか否かを判断する。このステップＳ７０の判断が否定された場合、すなわち、すべての病室に対して少なくとも１人の病児が割り当てられている場合には、ステップＳ７４に移行し、部屋割り処理部２４は、受け入れ不可を表示部９３に表示することで、職員に通知する。その後は、図９（ａ）の全処理を終了し、図７の全処理も終了する。
【００３５】
一方、ステップＳ７０の判断が肯定された場合、すなわち、少なくとも１つの病室に病児が割り当てられていない場合には、ステップＳ７２に移行する。ステップＳ７２に移行すると、部屋割り処理部２４は、以下の割り当てルールに基づいて、未割当の病室のいずれに対して新規病児を割り当てるかを決定する。
【００３６】
＜割り当てルール＞
（１）  １年前の同月において最も受け入れ病児数が多い病名であれば、定員が最も多い未割当の病室に割り当てる。
（２）  １年前の同月において最も病児数が少ない病名であれば、定員が最も少ない未割当の病室に割り当てる。
（３）  上記（１）、（２）以外であれば、未割当の病室のうち、定員が２番目に多い方から順に割り当てる。
【００３７】
なお、上記割り当てルールに基づいて、新規病児を割り当てる病室を決定することで、新規病児の病気が流行期にある場合に、新規病児と同じ病気の病児を定員が多い病室に優先的に割り当てることができるようになっている。なお、上記割り当てルールを用いることで、他の感染症が流行期にある場合には、当該感染症の病児のために、定員が多い病室を空けておく（確保しておく）ことが可能である。
【００３８】
上記のようにして新規病児を割り当てる病室が決定すると、部屋割り処理部２４は、割り当て結果を表示部９３に表示することで、職員に通知する。その後は、図９（ａ）の全処理を終了し、図７の全処理も終了する。
【００３９】
図７に戻り、ステップＳ１２の判断が肯定された場合、すなわち新規病児が相部屋実績のある病気にかかっている場合には、ステップＳ２０に移行し、ステップＳ１４と同様、判断部２２は、入力された病名コードの病気を患っている病児が当日部屋割りテーブル３６（図５）に存在しているか否かを判断する。このステップＳ２０の判断が肯定された場合には、ステップＳ２２に移行し、否定された場合には、ステップＳ２４に移行する。
【００４０】
ステップＳ２２に移行した場合には、部屋割り処理部２４は、部屋割り処理（１）を実施する。なお、ステップＳ２２の部屋割り処理（１）は、ステップＳ１６の部屋割り処理と同様であり、図８のフローチャートの処理である。すなわち、ステップＳ２２では、相部屋実績のある病気の新規病児を同一の病気の病児が割り当てられている病室に優先的に割り当てたり（Ｓ５２）、同一の病気の病児が割り当てられている病室に新規病児を割り当てられない場合に、より定員の多い病室と入れ替える（Ｓ６２，Ｓ６４）などの処理を実行する。ステップＳ２２の処理が終了すると、図７の全処理が終了する。
【００４１】
一方、ステップＳ２０の判断が否定されて、ステップＳ２４に移行すると、判断部２２は、入力された病名（病名コード）と相部屋になれる病気の病児が割り当てられた病室が存在するか否かを判断する。このステップＳ２４の判断が肯定された場合には、ステップＳ２６に移行し、否定された場合には、ステップＳ２８に移行する。
【００４２】
ステップＳ２６に移行した場合、部屋割り処理部２４は、ステップＳ１６、Ｓ２２と同様にして、部屋割り処理（１）を実施する。なお、図８の処理においては、入力された病名（病名コード）と相部屋になれる病気の病児が割り当てられた病室を病室αとして処理を実施するものとする。ステップＳ２６の処理が実行された後は、図７の全処理が終了する。
【００４３】
一方、ステップＳ２８に移行した場合には、部屋割り処理部２４は、部屋割り処理（３）を実施する。
【００４４】
（部屋割り処理（３））
以下、図９（ｂ）のフローチャートに沿って、部屋割り処理（３）について詳細に説明する。
【００４５】
図９（ｂ）の処理では、まずステップＳ１７０において、部屋割り処理部２４は、病児が１人も割り当てられていない病室があるか否かを判断する。このステップＳ１７０の判断が否定された場合、すなわち、すべての病室に対して少なくとも１人の病児が割り当てられている場合には、ステップＳ１７４に移行し、部屋割り処理部２４は、受け入れ不可を表示部９３に表示することで、職員に通知する。その後は、図９（ｂ）の全処理を終了し、図７の全処理も終了する。
【００４６】
一方、ステップＳ１７０の判断が肯定された場合、すなわち、少なくとも１つの病室に病児が割り当てられていない場合には、ステップＳ１７２に移行する。ステップＳ１７２に移行すると、部屋割り処理部２４は、未割当の病室のうち定員が最も少ない病室を新規病児に割り当てる。新規病児の病気は感染症でなく、流行するような病気ではないため、新規病児を空いている病室のうち最も定員が少ない病室を割り当てることで、他の流行期にある感染症などの病気のために定員の多い病室を確保しておくことが可能となる。
【００４７】
上記のようにして新規病児を割り当てる病室が決定すると、部屋割り処理部２４は、割り当て結果を表示部９３に表示することで、職員に通知する。その後は、図９（ｂ）の全処理を終了し、図７の全処理も終了する。
【００４８】
以上、詳細に説明したように、本実施形態によると、入力受付部２０が、新規病児の病気の情報の入力を受け付け（Ｓ１０，Ｓ１１）、判断部２２が、新規病児の病気が感染症であるか否かを判断する（Ｓ１２）。そして、感染症である場合には、部屋割り処理部２４が、過去の同時期に該感染症で入院した人数の実績を記憶する病名割合テーブル３８を参照して、新規病児に割り当てる病室を決定する（Ｓ１８のＳ７２）。この場合、過去の同時期に新規病児と同一の病気が流行していた場合には、当日においても新規病児と同一の病気の病児を多く受け入れる必要がある可能性が高いため、新規病児を定員が多い部屋に割り当てる。また、過去の同時期に新規病児と同一の病気が流行していなかった場合には、新規病児を定員が少ない部屋に割り当てる。このようにすることで、新規病児を最初から適切な病室に自動的に割り当てることができる。これにより、病室が埋まってきた段階で、２つの病室に割り当てられた病児を総入れ替えするなどの手間が発生するのを抑制することができる。また、新規病児を適切な病室に割り当てることで、病児を最大限受け入れることが可能になるとともに、感染症の拡大防止や、施設における保育の効率化を図ることが可能になる。
【００４９】
また、本実施形態では、感染症の新規病児を、同一の感染症の病児が割り当てられている病室に優先的に割り当てる（Ｓ５２）。これにより、同一の感染症の病児を同一の病室で効率的に保育することが可能となる。
【００５０】
また、本実施形態では、感染症の新規病児を、同一の感染症の病児が割り当てられている病室に割り当てることができない場合（Ｓ１６のＳ５０：否定）に、収容可能な他の病室に新規病児と同一の感染症の病児を移すとともに、新規病児を割り当てる（Ｓ１６のＳ６２、Ｓ６４）。これにより、新規病児と、新規病児と同一の感染症の病児とを適切な病室に割り当てることが可能となる。
【００５１】
また、本実施形態では、感染症でない新規病児に対して、感染症でない病児が割り当てられている病室を優先的に割り当てる（Ｓ２６）。これにより、感染症でない患者を感染症の患者と同一の病室に割り当てないようにできるので、感染症の感染拡大を防止することができる。したがって、病児の親等は安心して病児を病児保育施設に預けることができる。
【００５２】
また、本実施形態では、新規病児の病気が感染症であるか否かを、過去実績テーブル３４に基づいて特定する（Ｓ１２）。これにより、過去の実績に基づいて病気が感染症であるか否かを適切に特定することができる。
【００５３】
なお、上記実施形態では、相部屋実績のない病気を過去実績テーブル３４に基づいて判断するため、感染症ではないが相部屋にすべきでない病気（例えば、喘息のように感染症ではないものの病児が咳をすることで他の病児や親等が不安に感じる病気など）の場合にもステップＳ１２の判断が否定される場合がある。しかしながら、このような判断がなされても、図７等の処理を行うことで、喘息等の病児を適切な病室に割り当てることが可能となっている。
【００５４】
なお、上記実施形態では、過去実績テーブル３４を用いずに、例えば、病名テーブル３０において、感染症であるか否かの情報を管理しておいてもよい。この場合、判断部２２は、ステップＳ１２において、病名テーブル３０を参照して感染症であるか否かを判断するようにしてもよい。
【００５５】
なお、上記実施形態では、病児保育施設において入院部屋決定装置１０を利用する例について説明したが、これに限らず、入院部屋決定装置１０は、病院などの日帰り入院等が可能な施設で利用することとしてもよい。
【００５６】
なお、上記実施形態の処理は、クラウドサーバにて実行することとしてもよい。この場合、各病児保育施設の職員は、ネットワークを介してクラウドサーバに接続された端末から、新規病児の病気の情報が入力する。そして、端末からクラウドサーバに対して病気の情報が通知されると、クラウドサーバは、通知された情報に基づいて上述した図７〜図９（ｂ）の処理を実行し、結果（通知する情報）を端末に戻すようにする。このようにしても、上記実施形態と同様の作用効果を得ることができる。
【００５７】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００５８】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００５９】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００６０】
上述した実施形態は本発明の好適な実施の例である。但し、これに限定されるものではなく、本発明の要旨を逸脱しない範囲内において種々変形実施可能である。
【００６１】
なお、以上の実施形態の説明に関して、更に以下の付記を開示する。
（付記１）  入院対象の患者の病気の情報の入力を受け付け、
前記入院対象の患者の病気が感染症であるか否かを判断し、
前記入院対象の患者の病気が感染症である場合に、過去の同時期に該感染症で入院した人数の実績を記憶する記憶部を参照して、前記入院対象の患者が入院する部屋を決定する、
処理をコンピュータに実行させるための入院部屋決定プログラム。
（付記２）  前記入院対象の患者の病気が感染症であり、当日における該感染症の患者がいない場合には、過去の同時期に該感染症で入院した人数が多いほど収容人数が多い空き部屋を優先して、前記入院対象の患者が入院する部屋を決定する、ことを特徴とする付記１に記載の入院部屋決定プログラム。
（付記３）  前記入院対象の患者の病気が感染症であり、当日における該感染症の患者がいる場合には、該感染症の患者と同じ部屋を優先して、前記入院対象の患者が入院する部屋を決定する、ことを特徴とする付記１又は２に記載の入院部屋決定プログラム。
（付記４）  前記入院対象の患者の病気が感染症であり、当日における該感染症の患者がいるものの、該感染症の患者と同じ部屋が空いていない場合には、該感染症の患者と前記入院対象の患者を収容できる空き部屋に該感染症の患者を移し、前記空き部屋を前記入院対象の患者が入院する部屋として決定する、ことを特徴とする付記１〜３のいずれかに記載の入院部屋決定プログラム。
（付記５）  前記入院対象の患者の病気が感染症であり、過去の同時期に該感染症で入院した人数が少ないほど収容人数が少ない空き部屋を優先して、前記入院対象の患者が入院する部屋を決定する、ことを特徴とする付記１〜４のいずれかに記載の入院部屋決定プログラム。
（付記６）  前記入院対象の患者の病気が感染症でない場合には、当日における他の感染症でない患者が割り当てられている部屋を優先して、前記入院対象の患者が入院する部屋を決定する、ことを特徴とする付記１〜５のいずれかに記載の入院部屋決定プログラム。
（付記７）  前記入院対象の患者の病気が感染症であるか否かは、過去に該病気の患者が他の病気の患者と相部屋になっている実績がないか否かに基づいて特定する、ことを特徴とする付記１〜６のいずれかに記載の入院部屋決定プログラム。
（付記８）  入院対象の患者の病気の情報の入力を受け付け、
前記入院対象の患者の病気が感染症であるか否かを判断し、
前記入院対象の患者の病気が感染症である場合に、過去の同時期に該感染症で入院した人数の実績を記憶する記憶部を参照して、前記入院対象の患者が入院する部屋を決定する、
処理をコンピュータが実行することを特徴とする入院部屋決定方法。
（付記９）  入院対象の患者の病気の情報の入力を受け付ける受付部と、
前記入院対象の患者の病気が感染症であるか否かを判断する判断部と、
前記入院対象の患者の病気が感染症である場合に、過去の同時期に該感染症で入院した人数の実績を記憶する記憶部を参照して、前記入院対象の患者が入院する部屋を決定する決定部と、
を備える入院部屋決定装置。
（付記１０）  前記入院対象の患者の病気が感染症であり、当日における該感染症の患者がいない場合には、
前記決定部は、過去の同時期に該感染症で入院した人数が多いほど収容人数が多い空き部屋を優先して、前記入院対象の患者が入院する部屋を決定する、ことを特徴とする付記９に記載の入院部屋決定装置。
（付記１１）  前記入院対象の患者の病気が感染症であり、当日における該感染症の患者がいる場合には、
前記決定部は、該感染症の患者と同じ部屋を優先して、前記入院対象の患者が入院する部屋を決定する、ことを特徴とする付記９又は１０に記載の入院部屋決定装置。
（付記１２）  前記入院対象の患者の病気が感染症であり、当日における該感染症の患者がいるものの、該感染症の患者と同じ部屋が空いていない場合には、
前記決定部は、該感染症の患者と前記入院対象の患者を収容できる空き部屋に該感染症の患者を移し、前記空き部屋を前記入院対象の患者が入院する部屋として決定する、ことを特徴とする付記９〜１１のいずれかに記載の入院部屋決定装置。
（付記１３）  前記入院対象の患者の病気が感染症であり、過去の同時期に該感染症で入院した人数が少ないほど、前記決定部は、収容人数が少ない空き部屋を優先して、前記入院対象の患者が入院する部屋を決定する、ことを特徴とする付記９〜１２のいずれかに記載の入院部屋決定装置。
（付記１４）  前記入院対象の患者の病気が感染症でない場合には、
前記決定部は、当日における他の感染症でない患者が割り当てられている部屋を優先して、前記入院対象の患者が入院する部屋を決定する、ことを特徴とする付記９〜１３のいずれかに記載の入院部屋決定装置。
（付記１５）  前記入院対象の患者の病気が感染症であるか否かは、過去に該病気の患者が他の病気の患者と相部屋になっている実績がないか否かに基づいて特定する、ことを特徴とする付記９〜１４のいずれかに記載の入院部屋決定装置。
【符号の説明】
【００６２】
１０  入院部屋決定装置
２０  入力受付部（受付部）
２２  判断部
２４  部屋割り処理部（決定部）
３８  病名割合テーブル（記憶部）
【図１】
2019057220.tif 000003
【図２】
2019057220.tif 000004
【図３】
2019057220.tif 000005
【図４】
2019057220.tif 000006
【図５】
2019057220.tif 000007
【図６】
2019057220.tif 000008
【図７】
2019057220.tif 000009
【図８】
2019057220.tif 000010
【図９】
2019057220.tif 000011